【事件の表示】
　特願２０００−　２４７３３「リボンカセット」拒絶査定不服審判事件〔平成１３年　７月３１日出願公開、特開２００１−２０５８８１〕について、次のとおり審決する。
【結　論】
　本件審判の請求は、成り立たない。
【理　由】
第１　手続の経緯 
　本願は、平成１２年１月２８日の特許出願であって、最初の拒絶理由通知に応答して平成１７年２月９日付けで手続補正がされ、最後の拒絶理由通知に応答して同年８月２２日付けで手続補正がされたが、同年１０月２７日付けで同年８月２２日付けの手続補正が却下されるとともに同日付で拒絶査定がされ、これを不服として同年１１月３０日付けで審判請求がされるとともに、同日付けで明細書についての手続補正がされたものである。
　その後、平成２０年１０月３１日付けの当審の審尋に対して、平成２０年１２月２４日付けで回答書が提出された。
　　 
第２　平成１７年１１月３０日付けの手続補正についての補正却下の決定
［補正却下の決定の結論］
　平成１７年１１月３０日付けの手続補正（以下、「本件補正」という。）を却下する。
［理由］
１．本件補正の内容
　本件補正における特許請求の範囲についての補正は、補正前（平成１７年２月９日付け手続補正書参照）に
「　　【請求項１】　第１の収納部と、この第１の収納部と所定の間隔を設けて配置された第２の収納部と、これら第１及び第２の収納部の側端部を繋ぐ連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースは、全体の断面形状が略クランク状となっており、前記インクリボンの走行路は、前記送出しコアと前記巻取りコアとの間で前記クランク状に形成されてなるとともに、前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにしたことを特徴とするリボンカセット。
　　【請求項２】　前記第１または第２の収納部の周壁部の側端部側の内壁に、該第１または第２の収納部の側面部と対向させて、弾性を有するモールド片を一体に立設し、該モールド片の前記送出しコアまたは巻取りコアの他端を当接させて、該送出しコアまたは巻取りコアを前記一端の方向に弾性付勢させたことを特徴とする請求項１記載のリボンカセット。
　　【請求項３】　前記係合部または前記噛合部のいずれか一方は、その断面が直角三角形に突出した突出部、他方は該突出部が係合する凹部からなることを特徴とする請求項１または２のいずれかに記載のリボンカセット。」
とあったものを、 
「　【請求項１】　第１の収納部と、この第１の収納部と所定の間隔を設けて配置された第２の収納部と、これら第１及び第２の収納部の側端部を繋ぐ一対の連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースには、前記一対の連結部材、第１収納部及び第２収納部に囲まれた矩形状の孔部が形成され、
　前記インクリボンの走行経路は、前記送出しコアと前記巻取りコアとの間で、前記インクリボンのインク塗布面と当接する位置に回転自在に配設されたシャフトと前記第１収納部に形成された前記インクリボンの導出部の壁部及び前記第２の収納部に形成された巻取り口の壁部とによってクランク状に形成されてなるとともに、このインクリボンの走行経路において、前記インクリボンの一部が前記送出しコア及び巻取りコアのそれぞれの中心部を結ぶ直線の上方に位置し、かつ、前記矩形状の孔部にて前記カセットケースの外部に導出されるインクリボンが前記直線の下方に位置し、
　前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにしたことを特徴とするリボンカセット。
　　【請求項２】　前記第１または第２の収納部の周壁部の側端部側の内壁に、該第１または第２の収納部の側面部と対向させて、弾性を有するモールド片を一体に立設し、該モールド片の前記送出しコアまたは巻取りコアの他端を当接させて、該送出しコアまたは巻取りコアを前記一端の方向に弾性付勢させたことを特徴とする請求項１記載のリボンカセット。
　　【請求項３】　前記係合部または前記噛合部のいずれか一方は、その断面が直角三角形に突出した突出部、他方は該突出部が係合する凹部からなることを特徴とする請求項１または２のいずれかに記載のリボンカセット。」
と補正するものである。 
 　 
　ここで、本件補正前後の請求項の対応関係をみるに、請求項２，３は補正前後で変わらないから、本件補正前の請求項１，２，３が、それぞれ、本件補正後の請求項１、２，３に対応する。
　
　本件補正には、特許請求の範囲の請求項１の補正として以下の補正事項を含む。
補正事項（１）
　補正前に「これら第１及び第２の収納部の側端部を繋ぐ連結部材」とあったのを、補正後に「これら第１及び第２の収納部の側端部を繋ぐ一対の連結部材」とする補正。　
　
補正事項（２）
　補正前に
「前記カセットケースは、全体の断面形状が略クランク状となっており、前記インクリボンの走行路は、前記送出しコアと前記巻取りコアとの間で前記クランク状に形成されてなるとともに」
とあったのを、補正後に
「前記カセットケースには、前記一対の連結部材、第１収納部及び第２収納部に囲まれた矩形状の孔部が形成され、
　前記インクリボンの走行経路は、前記送出しコアと前記巻取りコアとの間で、前記インクリボンのインク塗布面と当接する位置に回転自在に配設されたシャフトと前記第１収納部に形成された前記インクリボンの導出部の壁部及び前記第２の収納部に形成された巻取り口の壁部とによってクランク状に形成されてなるとともに、このインクリボンの走行経路において、前記インクリボンの一部が前記送出しコア及び巻取りコアのそれぞれの中心部を結ぶ直線の上方に位置し、かつ、前記矩形状の孔部にて前記カセットケースの外部に導出されるインクリボンが前記直線の下方に位置し」
とする補正。
　 　 
２．本件補正の目的 
補正事項（１）について
　補正事項（１）は、連結部材の構成を限定している。
　
補正事項（２）について
　補正事項（２）により、形式的には、カセットケース全体の断面形状が略クランク状との限定が省かれたこととなっている。
　しかしながら、本願の【図１】、【図２】において、カセットケース１０の側板部１１ｄがクランク形状ではなく楕円形である（本願明細書【００１１】に「楕円形をした側板部１１ｄ」とある）ことからわかるように、カセットケース全体の断面形状が略クランク状とは、カセットケースのどの断面形状も略クランク状であるというのではない。
　そして、
　本願明細書【００１１】に「これら第１及び第２の収納部１２、１３の各端部をそれぞれ繋ぐ一対の連結部材１４とを一体に有し、全体の断面形状が略クランク状になっている。」とあること、
　【図３】から連結部材１４がクランク状に曲がっていることが看取されること、
　本願明細書【００１２】に「図３に示すように、一対の連結部材１４には、この一対の連結部材１４間の一部を橋架する平板状の壁部１８が設けられ、この壁部１８は、第１の収納部１２の周壁部１２ａとの間に一定の空間部１７を設けるように周壁部１２ａと対向配置されている。そして、この壁部１８は、延設部１２ｓに対して略直角に折り曲げたように、延設部１２ｓの先端縁部分と連続して一体に形成されている。」とあって、インクリボンに沿う壁となっている壁部１８と延設部１２ｓとが略直角に折れ曲がってクランク状になっていること、
　等から判断して、カセットケース全体の断面形状が略クランク状とは、インクリボンの走行する部分の断面形状が略クランク状であることを指すことは明らかである。
　
　ところが、補正の前も後も、インクリボンの走行路については、「クランク状に形成されてなる」とされているのであるから、補正後に、カセットケース全体の断面形状が略クランク状との記載を省いたところで、カセットケースの形状の解釈に影響しない。
　
　上記の点を考慮すれば、補正事項（２）は、「前記カセットケースには、前記一対の連結部材、第１収納部及び第２収納部に囲まれた矩形状の孔部が形成され」とカセットケースの構成を限定し、かつ、走行経路にシャフトを配設する点、走行経路形状、等インクリボンの走行経路について、具体的構成を限定している。
　
　よって、補正事項（１）、（２）は、発明を特定するために必要な事項を限定するものであり、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後の請求項１に係る発明が、特許出願の際に独立して特許を受けることができるものであるかどうか（ 平成１８年法律第５５号改正附則第３条第１項によりなお従前の例によるとされる同法による改正前の特許法第１７条の２第５項において準用する同法第１２６条第５項に規定する要件を満たすか否か）について検討する。
　
３．独立特許要件について 
（１）本願補正発明の認定 
　本件補正後の請求項１の記載は以下のとおりである。
「　　【請求項１】　第１の収納部と、この第１の収納部と所定の間隔を設けて配置された第２の収納部と、これら第１及び第２の収納部の側端部を繋ぐ一対の連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースには、前記一対の連結部材、第１収納部及び第２収納部に囲まれた矩形状の孔部が形成され、
　前記インクリボンの走行経路は、前記送出しコアと前記巻取りコアとの間で、前記インクリボンのインク塗布面と当接する位置に回転自在に配設されたシャフトと前記第１収納部に形成された前記インクリボンの導出部の壁部及び前記第２の収納部に形成された巻取り口の壁部とによってクランク状に形成されてなるとともに、このインクリボンの走行経路において、前記インクリボンの一部が前記送出しコア及び巻取りコアのそれぞれの中心部を結ぶ直線の上方に位置し、かつ、前記矩形状の孔部にて前記カセットケースの外部に導出されるインクリボンが前記直線の下方に位置し、
　前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにしたことを特徴とするリボンカセット。」
　
　本件補正後の請求項１の「前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにした」との記載では、弾圧と噛合に係る構成が、第１収納部、第２収納部のどこに何箇所備わっているのか明確でない旨の当審の審尋に対し、請求人は回答書を提出した。
　
　該回答書には、「側面部」について、「本願の図２にはリボンカセット１１の全体が示されていますが、このリボンカセット１１の第１の収納部１２および第２の収納部１３の図２における下端には、それぞれ側面部１２ｂ，１３ｂが示されております。これらの側面部１２ｂ，１３ｂについては、本願明細書の発明の詳細な説明の段落００２６に、「カセット収納部５１内には、図１３に示すように、操作部１００ａを備えた検出用スイッチ１００が設けられていて、この操作部１００ａがカセットケース１１の側面部１２ｂに配設された各切欠き部２２ａ，２２ｂ，２２ｃの平凹面部分と、当接または非当接することによって、検出用スイッチがＯＮ，ＯＦＦして、装着したリボンカセット１０の種類を識別するようになっている」と記載されていることから、側面部１２ｂ，１３ｂが、第１の収納部１２および第２の収納部１３における一番外側の側面であることは明らかであります。」と記載されていることから、「側面部」は、第１収納部及び第２収納部における挿入側（リボンカセットをプリンタ本体に挿入する際の、挿入方向の先頭側）の外側面を指しているものと認められる。
　
　本件補正後の請求項１には、「側端部側の内壁に、該第１または第２の収納部の側面部と対向させて、係合部を備えた支持壁をそれぞれ設け」と記載されていることから、係合部を備えた支持壁が設けられるのは、第１収納部及び第２収納部における挿入側の側端部の内壁であるといわざるを得ない。
　
　また、回答書には、「これらの段落００１７，００１８の記載より明らかなように、コアが弾圧されて支持壁と噛合う部分は、第２の支持壁３２ｋの係合突起３２ｎと、第４の支持壁３２ｑの係合突起３２ｔとであります。」と記載されているから、「係合部を備えた支持壁」は、送り出しコア及び巻取りコアの一端と噛合し、解除することは明らかである。
　
　そうすると、本件補正後の請求項１記載の「前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにした」は、
「前記第１及び第２の収納部の挿入側の前記側端部側の内壁に、該第１及び第２の収納部の側面部と対向させて、係合部を備えた支持壁をそれぞれ設け、該支持壁に前記送出しコアまたは巻取りコアの一端を弾圧させて軸支するとともに、前記送出しコア及び巻取りコアの一端に噛合部を設けて、該噛合部を前記係合部に係止し、前記送出しコア及び巻取りコアの回転時に前記係止を解除するようにした」と解することができる。
　
　このことから、本件補正後の請求項１に係る発明を、以下のとおりのものと認める。
「【請求項１】　第１の収納部と、この第１の収納部と所定の間隔を設けて配置された第２の収納部と、これら第１及び第２の収納部の側端部を繋ぐ一対の連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースには、前記一対の連結部材、第１収納部及び第２収納部に囲まれた矩形状の孔部が形成され、
　前記インクリボンの走行経路は、前記送出しコアと前記巻取りコアとの間で、前記インクリボンのインク塗布面と当接する位置に回転自在に配設されたシャフトと前記第１収納部に形成された前記インクリボンの導出部の壁部及び前記第２の収納部に形成された巻取り口の壁部とによってクランク状に形成されてなるとともに、このインクリボンの走行経路において、前記インクリボンの一部が前記送出しコア及び巻取りコアのそれぞれの中心部を結ぶ直線の上方に位置し、かつ、前記矩形状の孔部にて前記カセットケースの外部に導出されるインクリボンが前記直線の下方に位置し、
　前記第１及び第２の収納部の挿入側の前記側端部側の内壁に、該第１及び第２の収納部の側面部と対向させて、係合部を備えた支持壁をそれぞれ設け、該支持壁に前記送出しコアまたは巻取りコアの一端を弾圧させて軸支するとともに、前記送出しコア及び巻取りコアの一端に噛合部を設けて、該噛合部を前記係合部に係止し、前記送出しコア及び巻取りコアの回転時に前記係止を解除するようにしたことを特徴とするリボンカセット。 」（以下、「本願補正発明」という。） 
 　 
（２）引用例記載内容の認定
（２−１）引用発明 
　原査定の最後の拒絶理由通知で引用され、本願の出願前に頒布された特開平１１−４８５６４号公報（以下、「引用例１」という。）には、以下の（ア）〜（オ）の記載が図示と共にある。 
　
（ア）「【０００７】先ず、図１〜図３においてプリントメディアカートリッジの基本的な構造を説明する。図において１はプリントメディアカートリッジを全体として示し、２はそのカートリッジ筐体である。このカートリッジ筐体２はＨＩＰＳ等の硬質の合成樹脂を材料として成形されており、このカートリッジ筐体２の下面側の左右両側には、プリントメディアとしてのインクリボン３が巻装される一対のスプール即ち供給側スプール４と巻き取り側スプール５とが夫々回転可能に支持されている。
【０００８】両スプール４，５は、夫々中央の胴部４ａ，５ａと、この胴部４ａ，５ａの両端に連続して設けられる前後のフランジ部４ｂ及び４ｃ，５ｂ及び５ｃと、前フランジ部４ｂ，５ｂの外面側に突出する円筒状の前端軸部４ｄ，５ｄと、後フランジ部４ｃ，５ｃの外面側に突出する後端軸部４ｅ，５ｅと、を一体に有して構成されており、胴部４ａと５ａ間に架け渡される状態でプリントメディアとしてのインクリボン３が巻装されている。
【０００９】両スプール４，５の前端軸部４ｄ，５ｄは、カートリッジ筐体２の前面部２ａの左右両側に設けられた軸受部６ａ，６ｂに回転自在に支持されると共に、この軸受部６ａ，６ｂから前面に突出し、また後端軸部４ｅ，５ｅは、カートリッジ筐体２の後部左右に設けられた軸受部７ａ，７ｂに回転自在に支持される。尚、この両スプール４，５もまたＨＩＰＳ等の硬質の合成樹脂を材料として成形されているものである。」
　
（イ）「【００１０】軸受部６ａ，６ｂ及び７ａ，７ｂは、図２に示すようにカートリッジを裏返した状態で上方に向って開放されており、かつこの軸受部６ａ，６ｂ及び７ａ，７ｂの開放部分の幅は夫々両スプール４，５の前端軸部４ｄ，５ｄ及び後端軸部４ｅ，５ｅの外径よりも若干狭い幅寸法に形成されている。
【００１１】従って、カートリッジ筐体２に両スプール４，５を組み付けるときには、図３の（Ａ）から（Ｂ）に示す如くカートリッジを裏返した状態で両スプール４，５を上方から落とし込むようにして組み込むことができ、このとき前端軸部４ｄ，５ｄ及び後端軸部４ｅ，５ｅは夫々軸受部６ａ，６ｂ及び７ａ，７ｂの開放部分を強制的に押し広げるように嵌め込まれ、嵌め込み後は軸受部６ａ，６ｂ及び７ａ，７ｂから外れることなく回転可能状態に支持される。」
　
（ウ）「【００１２】プリントメディアとしてのインクリボン３は、イエロー（Ｙ）、マゼンタ（Ｍ）、シアン（Ｃ）のプリント三原色の着色部からなる着色領域が連続して設けられており、このインクリボン３の一部が両スプール４と５の間においてカートリッジ筐体２の中央部に形成された開口部８からカートリッジ上面側に表出し、ここの部分でプリントが行なわれる。尚、このインクリボン３は最初に供給側スプール４側に一杯に巻かれており、この供給側スプール４から巻き取り側スプール５に巻き取られるようにインクリボン３の送り動作が行なわれるものである。
【００１３】またカートリッジ筐体２の後部においては、両スプール４，５に夫々対応して弾性部材である板バネ９が装着されている。この板バネ９は図３に示すように略逆Ｕ字形の側面形状を有し、その基端部側がカートリッジ筐体２のバネ固定溝１０に挿入固定されると共に、先端部側が両スプール４，５の後端軸部４ｅ，５ｅの端面に圧接し、この板バネ９の弾性力によって両スプール４，５は前方に向かって軸方向に押圧偏倚されている。【００１４】両スプール４，５の前フランジ部４ｂ，５ｂの外面側には放射状の係合溝１１が所定間隔で複数形成され、これに対応してカートリッジ筐体２の前面部２ａの内側には突部１２が設けられており、上記の板バネ９による押圧偏倚力をもって係合溝１１が突部１２と係合することにより、両スプール４，５の不要な回転が防止されてインクリボン３の弛みが阻止される。」
　
（エ）「【００２２】カートリッジ装填部２５の奥には一対の駆動軸３３，３４が設けられており、図７に示す如くプリントメディアカートリッジ１を装填した状態ではこの駆動軸３３，３４が夫々両スプール４，５の前端軸部４ｄ，５ｄに挿入係合されて一体的に回転される状態となる。尚、この状態では駆動軸３３，３４によって両スプール４，５が夫々板バネ９の押圧偏倚力に抗して押し込まれ、これによって両スプール４，５は係合溝１１が突起１２から抜けて回転可能な状態となる。駆動軸３３，３４は夫々駆動モータ３５，３６によって回転駆動される構造となっており、この駆動軸３３，３４と一体的にスプール４，５が回転されることによりインクリボン３の送り動作が行なわれる。」
　
（オ）【図１】から、カートリッジ筐体２の側端部に、スプール４を収納する部分とスプール５を収納する部分とを繋ぐ一対の連結部分があって、スプール４を収納する部分とスプール５を収納する部分と一対の連結部分とで、矩形状の開口部８を囲んでいることが看取される。
　
　カートリッジ筐体２のスプール４，５を収納する２つの部分のうち、供給側スプール４を収納する部分を「第１の収納部」、巻き取り側スプール５を収納する部分を「第２の収納部」と呼ぶことにする。
　
　上記（ウ）の【００１４】では「突部１２」、上記（エ）では「突起１２」と、同じ対象を別の用語で表しているので、以後、「突起１２」で統一する。
　
　上記（ア）の【０００７】末尾には「インクリボン３が巻装される一対のスプール即ち供給側スプール４と巻き取り側スプール５」と記載されている。そして、プリントメディアカートリッジを使用するにつれ、供給側スプール４から供給されたインクリボン３が巻き取り側スプール５に巻かれて行くことは明らかである。
　また、【図３】から看取されるとおり、スプール４，５の直径より胴部４ａ，５ａが充分に長いから、インクリボン３は幅広である。
　よって、「プリントメディアカートリッジ１は、供給側スプール４に巻回され、一部が巻き取り側スプール５に巻回可能な幅広なインクリボンを備えている。」といえる。
　
　【図１】、【図２】から、前面部における、上記（イ）にいう、両スプール４，５の前端軸部４ｄ，５ｄの外径よりも若干狭い幅の開放部分のある軸受部６ａの側と同じく軸受部６ｂの側が、カートリッジ筐体２のスプール４，５を収納する部分の側面部となっていることが看取される。
　　
　【図２】から、軸受け部６ａ，６ｂの内側に、軸受け部６ａ，６ｂと対向し、軸受け部６ａ，６ｂと同様、開放部分と両スプール４，５の前端軸部４ｄ，５ｄが嵌る孔のある壁があることが看取される。
　【図３】から、上記（ウ）にいう、カートリッジ筐体２の前面部２ａの内側に設けられる突起１２がこの壁にあること、及び、この壁が、「第１の収納部」、「第２の収納部」の側端部の内壁に設けられていることが看取される。
　そして、上記（ウ）の【００１３】に「板バネ９の弾性力によって両スプール４，５は前方に向かって軸方向に押圧偏倚されている。」、同【００１４】に「板バネ９による押圧偏倚力をもって係合溝１１が突部１２と係合する」、とあるから、スプール４、５の一端は、この壁に弾圧されている。
　この壁を、以後、突起壁と呼ぶことにする。
　
　カートリッジ筐体２は【図５】のように後面部２ｂ（「後面部２ｂ」との用語については【００１６】参照）が手前になるように挿入されるから、後面部２ｂと反対側にある軸受け部６ａ，６ｂは、挿入側（カートリッジ筐体２をプリンタ２１に挿入する際の、挿入方向の先頭側）の外側面である。
　
　上記（エ）に、「回転される状態となる。尚、この状態では・・・係合溝１１が突起１２から抜ける」と記載されているから、スプール４，５の回転時に係合溝１１と突起１２の係合が解除される。
　
　以上のことから、上記（ア）〜（オ）の記載を含む引用例１には、次の発明が記載されていると認めることができる。 
「第１の収納部と、この第１の収納部と所定の間隔を設けて配置された第２の収納部と、これら第１及び第２の収納部の側端部を繋ぐ一対の連結部材とを有するカートリッジ筐体２と、前記第１の収納部内に設けられた回転可能な供給側スプール４と、前記第２の収納部内に設けられた回転可能な巻き取り側スプール５と、前記供給側スプール４に巻回され、一部が巻き取り側スプール５に巻回可能な幅広なインクリボン３とを備えてなるプリントメディアカートリッジ１であって、 
　前記カートリッジ筐体２には、前記一対の連結部材、第１の収納部及び第２の収納部に囲まれた矩形状の開口部８が形成され、
　前記第１及び第２の収納部の挿入側の前記側端部側の内壁に、該第１及び第２の収納部の側面部と対向させて、突起１２を備えた突起壁をそれぞれ設け、該突起壁に前記供給側スプール４または巻き取り側スプール５の一端を弾圧させるとともに、前記供給側スプール４または巻き取り側スプール５の一端に係合溝１１を設けて、該係合溝１１を前記突起１２に係止し、前記供給側スプール４または巻き取り側スプール５の回転時に前記係止を解除するようにしたプリントメディアカートリッジ１」（以下、「引用発明」という。）
　 　
（２−２）引用技術
　原査定の最後の拒絶理由通知で引用され、本願の出願前に頒布された特開平９−２６７４９９号公報（以下、「引用例２」という。）には、以下の（あ）〜（う）の記載が図示と共にある。 
　
（あ）「【００２６】５はリボンカセットで、ガイド部５ａ，ガイド部５ｂ，ガイド部５ｃ，及び側面部５ｄを有し、イエロー，マゼンタ，シアンの染料を塗布された、検出マークマーク付きのリボン４８を内蔵し、供給リール５１と巻取りリール５０を備え受像紙５０枚を印画出来る。特に、ガイド部５ｂ，５ｃはサーマルヘッド１０の側面に隣接し、かつピンチローラ１８とも接近した位置にある。またリボン４８はガイド部５ａからサーマルヘッド１０の発熱体部１０ａの下面を通ってガイド部５ｂで上方に、そしてガイド部５ｃで左方向に引っ張られて巻き取りリール５０に巻き取られる。なお、側面部５ｄでは、紙押板降下時には、紙押しホロアー板２５と係合してリボンカセット５の解除はできなくなる。（以下、省略）」
　
（い）【図３】からは、リボンカセット５の供給リール５１を収納する（断面形状が円なので）円筒形の部分から延びる壁の先端部分にガイド部５ａがあり、リボンカセット５の巻き取りリール５０を収納する（断面形状が円なので）円筒形の部分から延びる壁の先端部分にガイド部５ｂ，ガイド部５ｃがあり，ガイド部５ａ，ガイド部５ｂ，ガイド部５ｃとこれらの壁とで、リボン４８の走行経路がクランク状に形成されていることが看取される。
　
（う）【図３】からは、リボン４８の走行経路において、ガイド部５ｂよりもガイド部５ｃが上（供給リール５１及び巻き取りリール５０のそれぞれの中心部を結ぶ直線により近い位置）に位置し、かつ、リボンカセット５の孔部（ガイド部５ａとガイド部５ｂと側面部５ｄで囲まれた、サーマルヘッド１０とプラテンローラ１１がリボン４８を挟めるようリボン４８が外部に露出した空間）にてリボン４８が前記直線の下方に位置していることが看取される。
　
　以上のことから、上記（あ）〜（う）の記載を含む引用例２には、次の技術事項が記載されていると認めることができる。 
「リボン４８の走行経路は、供給リール５１及び巻き取りリール５０との間で、リボンカセット５の供給リール５１を収納する部分に形成されたリボン４８の導出部の壁部及びリボンカセット５の巻き取りリール５０を収納する部分に形成された巻取り口の壁部とによってクランク状に形成されてなるとともに、このリボン４８の走行経路において、リボン４８の一部が他の部分と比べて供給リール５１及び巻き取りリール５０のそれぞれの中心部を結ぶ直線に近く位置し、かつ、リボンカセット５の孔部にてリボンカセット５の外部に導出されるリボン４８が前記直線の下方に位置しているリボンカセット５」（以下、「引用技術」という。） 
　　 
（３）対比 
　引用発明の「第１の収納部」、「第２の収納部」、「１対の連結部材」、「カートリッジ筐体２」、「供給側スプール４」、「巻き取り側スプール５」、「インクリボン３」、「プリントメディアカートリッジ１」、「矩形状の開口部８」、「突起１２」  、「係合溝１１」は、それぞれ、本願補正発明の「第１の収納部」、「第２の収納部」、「１対の連結部材」、「カセットケース」、「送り出しコア」、「巻取りコア」、「インクリボン」、「リボンカセット」、「矩形状の孔部」、「係合部」、「噛合部」に相当する。
　
　引用発明の「突起壁」は、「係合部」（突起１２）を備えた壁であり、「送出しコア」（供給側スプール４）または「巻取りコア」（巻き取り側スプール５）の一端が弾圧される点で、本願補正発明の「支持壁」と共通している。
　
　してみれば、本願補正発明と引用発明とは、以下の点で一致し、以下の点で相違する。
　
＜一致点＞ 
「第１の収納部と、この第１の収納部と所定の間隔を設けて配置された第２の収納部と、これら第１及び第２の収納部の側端部を繋ぐ一対の連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースには、前記一対の連結部材、第１収納部及び第２収納部に囲まれた矩形状の孔部が形成され、
　前記第１及び第２の収納部の挿入側の前記側端部側の内壁に、該第１及び第２の収納部の側面部と対向させて、係合部を備えた壁をそれぞれ設け、該壁に前記送出しコアまたは巻取りコアの一端を弾圧させるとともに、前記送出しコア及び巻取りコアの一端に噛合部を設けて、該噛合部を前記係合部に係止し、前記送出しコア及び巻取りコアの回転時に前記係止を解除するようにしたするリボンカセット」
　
＜相違点＞ 
(相違点１)
　本願補正発明は、「前記第１及び第２の収納部の挿入側の前記側端部側の内壁に、該第１及び第２の収納部の側面部と対向させて、係合部を備えた支持壁をそれぞれ設け、該支持壁に前記送出しコアまたは巻取りコアの一端を弾圧させて軸支する」と特定されることにより、係合部を備えた壁が送出しコア、巻取りコアの一端を軸支する支持壁となっているのに対して、引用発明は、係合部（突起１２）を備えた壁である突起壁が送出しコア（供給側スプール４）、巻取りコア（巻き取り側スプール５）の一端を軸支するか否か定かでない点。
　
(相違点２)
　本願補正発明は、
「　インクリボンの走行経路は、
　送出しコアと巻取りコアとの間で、インクリボンのインク塗布面と当接する位置に回転自在に配設されたシャフトと第１収納部に形成されたインクリボンの導出部の壁部及び第２の収納部に形成された巻取り口の壁部とによってクランク状に形成されてなるとともに、
　インクリボンの走行経路において、インクリボンの一部が送出しコア及び巻取りコアのそれぞれの中心部を結ぶ直線の上方に位置し、かつ、矩形状の孔部にてカセットケースの外部に導出されるインクリボンが前記直線の下方に位置し」
と特定されているのに対して、引用発明は前記特定を有しない点。 
 
（４）判断 
(相違点１)について
　引用例１の【図３】において、斜線で示された断面部分に関し、軸受け部６ａ，６ｂと突起壁が前端軸部４ｄ，５ｄに下から接近した高さがほぼ同じであることは、突起壁が前端軸部４ｄ，５ｄを軸支していることを示唆しているし、上記「（２）引用例記載内容の認定　（２−１）引用発明」で述べたとおり、突起壁は、軸受け部６ａ，６ｂと同様、開放部分と両スプール４，５の前端軸部４ｄ，５ｄが嵌る孔のある壁である。
　よって、引用発明において、突起壁を前端軸部４ｄ，５ｄを軸支する支持壁とすることにより、本願補正発明の相違点１に係る構成を備えることは、引用例１の記載に基づいて当業者が容易に想到し得たことである。
　
(相違点２)について
　引用発明も引用技術も、ともにリボンカセットに関するものであるから、
引用発明に引用技術を適用することは、当業者が容易に想到し得ることである。
　ただし、引用技術は
（ｉ）インクリボンのインク塗布面と当接する位置に回転自在に配設されたシャフトが無い点、及び、
（ｉｉ）インクリボンの一部が送出しコア及び巻取りコアのそれぞれの中心部を結ぶ直線の上方に位置していない点、
　において、本願補正発明の相違点２に係る構成と相違するから、引用発明に引用技術をそのまま適用しても、引用発明が本願補正発明の相違点２に係る構成を備えることにはならない。
　
　しかしながら、
（Ｉ）上記（ｉ）に関し、引用例２の【図３】から明らかなように、ガイド部５ｃはインクリボンのインク塗布面と当接する位置にある。
　
　一方、リボンカセットのリボン走行路に回転自在のシャフトを設けることは、リボン走行を円滑にするための慣用手段である。
　例えば、本願出願前に頒布された特開平７−５２５０７号公報の【００２０】には「ガイドローラ５、６、７は、本体８の底面に突起状に設けられたピンに中空円筒状のローラを回転自在に挿入してなり、このローラの側面にリボン１が当接する。このガイドローラ５、６、７はスムーズにリボン１を走行させるものである。」と記載されている。そして、（上記公報の【図１】で「印字部１３」とある部分において、インクリボンの上に印字ヘッドが、下に印刷用紙が位置することは明らかであるから、）ガイドローラ５、７は、インクリボンのインク塗布面と当接する。
　
　よって、引用発明に引用技術を適用するに際し、リボン走行を円滑にすることを考慮し、ガイド部５ｃを回転自在でインクリボンのインク塗布面と当接するシャフトに置き換えたり、ガイド部５ｃ近傍に回転自在でインクリボンのインク塗布面と当接するシャフトを配設したりする設計変更をなすことは、技術常識に基づいて当業者が適宜なし得ることである。
　
（ＩＩ）上記（ｉｉ）に関し、一般に、リボンカセットにおけるインクリボンのたるみの発生は、巻き取り抵抗、巻き取りスピード、走行経路の長さ、等種々の条件に由来する。
　一方、引用例２の【００３７】に「【発明の効果 】以上のように本発明は、第１の発明ではリボンカセットケースにリボンの移動路として、前記サーマルヘッドの発熱体近傍にほぼ垂直方向にリボンを案内するガイド部を具備し、かつサーマルヘッドを固定にしプラテンローラを可動とすることにより、プラテンローラの押圧解除後もリボンのたるみがほとんど無く、従来の様な、たるみ取り手段が不用になる。」とあるように、たるみを防止する構成の採用は、引用技術でも意図されている。
　よって、引用発明に引用技術を適用するに際し、リボン４８のガイド部５ｃに接する部分を、供給リール５１及び巻き取りリール５０のそれぞれの中心部を結ぶ直線より上方に位置させることで、ガイド部５ｃとガイド部５ｂの間のインクリボンの走行経路が長くなる設計変更をなすことは、技術常識に基づいて当業者が適宜なし得ることである。
　
　上記（Ｉ），（ＩＩ）から、引用発明において、本願補正発明の相違点２に係る構成を備えることは、引用技術、引用例２の記載、及び技術常識に基づいて当業者が容易に想到し得ることである。
　
まとめ
　上記「(相違点１)について」、「(相違点２)について」の検討結果より、引用発明において、本願補正発明の相違点１及び相違点２に係る構成を備えることは、引用例１の記載、引用技術、引用例２の記載、及び技術常識に基づいて当業者が容易に想到し得ることであり、それによる効果も予想し得る程度のものである。
　
　したがって、本願補正発明は、引用発明、引用例１の記載、引用技術、引用例２の記載、及び技術常識に基づいて、当業者が容易に発明をすることができたものであるから、特許法第２９条第２項の規定により、特許出願の際独立して特許を受けることができない。 
 　 
　本願補正発明は、特許出願の際独立して特許を受けることができないものであるから、平成１８年法律第５５号改正附則第３条第１項によりなお従前の例によるとされる同法による改正前の特許法第１７条の２第５項において準用する同法第１２６条第５項に規定する要件を満たしていない。
　
４．本件補正についてのむすび 
　上記「３．独立特許要件について」に記載のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について 
１．本願発明の認定 
　平成１７年１１月３０日付けの手続補正は上記のとおり却下されたので、本願の請求項１に係る発明は、平成１７年２月９日付けで補正された特許請求の範囲の請求項１に記載された事項によって特定される次のとおりのものと認める。
「　　【請求項１】　第１の収納部と、この第１の収納部と所定の間隔を設けて配置された第２の収納部と、これら第１及び第２の収納部の側端部を繋ぐ連結部材とを有するカセットケースと、前記第１の収納部内に設けられた回転可能な送出しコアと、前記第２の収納部内に設けられた回転可能な巻取りコアと、前記送出しコアに巻回され、一部が前記巻取りコアに巻回可能な幅広なインクリボンとを備えてなるリボンカセットであって、
　前記カセットケースは、全体の断面形状が略クランク状となっており、前記インクリボンの走行路は、前記送出しコアと前記巻取りコアとの間で前記クランク状に形成されてなるとともに、前記第１または第２の収納部の前記側端部側の内壁に、該第１または第２の収納部の側面部と対向させて、係合部を備えた支持壁をそれぞれ設け、該支持壁に前記送出しコアまたは巻取りコアの一端を弾圧させて軸支するとともに、前記送出しコアまたは巻取りコアの一端に噛合部を設けて、該噛合部を前記係合部に係止し、前記送出しコアまたは巻取りコアの回転時に前記係止を解除するようにしたことを特徴とするリボンカセット。」（以下、本願発明という。）
　
２．引用例の記載
　原査定の拒絶の理由に引用された引用例１，引用例２、及びその記載事項は、上記「第２　平成１７年１１月３０日付けの手続補正についての補正却下の決定　３．独立特許要件について　（２）引用例記載内容の認定」に記載したとおりである。
 　 
３．対比・判断
　本願発明は、上記「第２　平成１７年１１月３０日付けの手続補正についての補正却下の決定　３．独立特許要件について」で検討した本願補正発明の発明特定事項から、以下（Ａ）、（Ｂ）の限定を省いたものに相当する。
　
（Ａ）補正前に「これら第１及び第２の収納部の側端部を繋ぐ連結部材」とあったのを、補正後に「これら第１及び第２の収納部の側端部を繋ぐ一対の連結部材」とする連結部材の構成の限定。　
　
（Ｂ）補正前に「前記カセットケースは、全体の断面形状が略クランク状となっており、前記インクリボンの走行路は、前記送出しコアと前記巻取りコアとの間で前記クランク状に形成されてなるとともに」とあったのを、補正後に
「前記カセットケースには、前記一対の連結部材、第１収納部及び第２収納部に囲まれた矩形状の孔部が形成され、
　前記インクリボンの走行経路は、前記送出しコアと前記巻取りコアとの間で、前記インクリボンのインク塗布面と当接する位置に回転自在に配設されたシャフトと前記第１収納部に形成された前記インクリボンの導出部の壁部及び前記第２の収納部に形成された巻取り口の壁部とによってクランク状に形成されてなるとともに、このインクリボンの走行経路において、前記インクリボンの一部が前記送出しコア及び巻取りコアのそれぞれの中心部を結ぶ直線の上方に位置し、かつ、前記矩形状の孔部にて前記カセットケースの外部に導出されるインクリボンが前記直線の下方に位置し」とする、
　矩形状の孔部が形成される点、走行経路にシャフトを配設する点、及び、走行経路の形成の仕方と形状、についての、カセットケースの構成の限定。
　
　すると、本願発明の構成要件をすべて含み、さらに他の構成要件を付加したものに相当する本願補正発明が、上記「第２　平成１７年１１月３０日付けの手続補正についての補正却下の決定　３．独立特許要件について」に記載したとおり、引用発明、引用例１の記載、引用技術、引用例２の記載、及び技術常識に基づいて、当業者が容易に発明をすることができたものであるから、本願発明も、同様の理由により、引用発明、引用例１の記載、引用技術、引用例２の記載、及び技術常識に基づいて、当業者が容易に発明をすることができたものである。
 　 
４．　むすび 
　以上のとおり、本願発明は、引用発明、引用例１の記載、引用技術、引用例２の記載、及び技術常識に基づいて、当業者が容易に発明をすることができたものであるから、特許法第２９条第２項の規定により特許を受けることができない。 
　したがって、本願出願のその余の請求項に係る発明について検討するまでもなく、本願は拒絶を免れない。 
　よって、結論のとおり審決する。